(57)【要約】【課題】従来既存の水栓設備の吐水ヘッドをそのまま用いてそこに光による表示又は発光に基づく照明機能を付加することが可能であり、しかも外観もコンパクトであって見た目にもすっきりとした、吐水口に取り付けられて使用される吐水端部ユニットを提供する。【解決手段】吐水ヘッド１８の吐水口２２に取り付けられる吐水端部ユニット２０を、流入口３４を上端部に有し、下端部にシャワー孔３８を有するハウジング２６と、軸流式の水車４２，これと一体回転するマグネット６０及びステータコイル９４とを有する発電機と、ＬＥＤ-１，ＬＥＤ-２とを含んで構成する。そして水流を通過させる水路６２を、水車４２を軸方向に通過する状態で設け、また水車４２を取り囲むようにドーナツ環状の環状室８２を水密に設けて、そこにステータコイル９４とＬＥＤ-１，ＬＥＤ-２とを水車４２と同軸状に収容配置する。【選択図】        図３
2005113437.tif 000002
【特許請求の範囲】
【請求項１】
水栓における吐水ヘッドの吐水口に取り付けられる吐水端部ユニットであって、
（イ）該吐水口からの水を内部に流入させる流入口を上端部に有し、下端部に該流入した水を流出させる流出口を有するハウジングと
（ロ）軸と該軸周りに回転する翼とを有し、該軸が該吐水口と同じ軸方向に配向する状態で該ハウジング内部に設けられ、該軸方向の流れで回転する軸流式の水車，該水車の外周部に固設されて該水車と一体回転するマグネット及び該マグネットの外周側に設けられたステータコイルとを有する発電機と
（ハ）該発電機による発電に基づいて光による表示又は発光を行う表示発光手段と
を有しており、且つ前記吐水口及び流入口から前記流出口に向かう水流を通過させる水路が、前記水車を軸方向に通過する状態に設けられているとともに、該水車の外周側において該水車を取り囲むようにドーナツ環状の環状室が水密に設けられていて、該環状室内に前記ステータコイルが該水車と同軸状に収容配置されていることを特徴とする吐水端部ユニット。
【請求項２】
請求項１において、前記表示発光手段が前記ステータコイルとともに前記環状室内に収容配置されていることを特徴とする吐水端部ユニット。
【請求項３】
請求項１，２の何れかにおいて、前記表示発光手段がＬＥＤであることを特徴とする吐水端部ユニット。
【請求項４】
請求項３において、前記ＬＥＤは前記環状室内で前記ステータコイルに対して軸方向に直線状に並ぶように該軸方向の異なった位置に且つ前記流出口側に配置されていることを特徴とする吐水端部ユニット。
【請求項５】
請求項３，４の何れかにおいて、前記ＬＥＤは前記ステータコイルに制御基板を介さないで直接接続されていることを特徴とする吐水端部ユニット。
【請求項６】
請求項１〜５の何れかにおいて、前記水車における翼の上流側の前記流入口の側に、前記吐水口からの水を該翼に向けた噴出流とするためのノズル部材が設けてあることを特徴とする吐水端部ユニット。
【請求項７】
請求項１〜６の何れかにおいて、前記ハウジングの少なくとも前記流出口周りの部分が透光性となしてあることを特徴とする吐水端部ユニット。
【請求項８】
請求項１〜７の何れかにおいて、前記吐水口に設けてあるねじとねじ結合して前記ハウジングを該吐水口に連結するための連結手段が備えてあることを特徴とする吐水端部ユニット。
【請求項９】
請求項８において、前記連結手段が前記ハウジングと別体をなしていることを特徴とする吐水端部ユニット。
【発明の詳細な説明】
【技術分野】
【０００１】
この発明は水栓設備における吐水ヘッドの吐水口に取り付けられて使用される吐水端部ユニットに関する。
【背景技術】
【０００２】
従来、キッチンや洗面室等の水回り衛生設備室には各種の水栓設備が設置されている。
この水栓設備における吐水ヘッドの吐水口には吐水口キャップが取り付けられ、その吐水口キャップによってメッシュその他の整流部材等が保持されるようになっている。
図１０はその具体例を示している。
【０００３】
同図において２００は吐水ヘッドで、２０２は吐水ヘッド２００に形成された吐水口である。
吐水口２０２は吐水ヘッド２００の下面に且つ下向きに形成されている。またその外周面には雄ねじが形成されている。
【０００４】
２０４は吐水口キャップで内周面に雌ねじが形成されており、この雌ねじを吐水口２０２の雄ねじに螺合することによって、かかる吐水口２０２に取り付けられる。
２０６は水路を横切る状態で吐水口２０２に設けられたメッシュ（整流網）で、吐水口２０２への吐水口キャップ２０４の取付けによって吐水口２０２に保持される。
【０００５】
ところで衛生設備室において水栓設備を使用する際、室の主照明装置を点灯させて室全体を照明するようにしているが、このような主照明装置にて室全体を照明した状態の下で吐水口から吐水を行いつつ所定の作業を行う際、手元部分等が必ずしも十分に明るくなく、作業の内容によっては作業がし辛いといった問題が生じていた。
【０００６】
例えば吐水口から吐水を行いつつ鍋等の容器や食器を洗ったりシンクを洗ったりする作業を行うとき、鍋等の容器や食器の底の部分が暗かったり或いはシンクの隅の部分が暗かったりして洗浄作業が行い辛いといった問題が生じていた。
【０００７】
この場合に水栓の吐水ヘッドに照明灯を取り付けて、その照明灯により下方を照明するようになすことが考えられる。
このようにすれば手元に近い位置から照明を行うことができ、吐水口から吐水を行いつつ鍋等の容器や食器或いはシンク等を洗ったりする際、それらを明るく照らし出した状態の下で良好に洗浄作業等を行うことが可能となる。
【０００８】
従来、吐水ヘッドにこのような照明灯を取り付けることも提案されている。
吐水ヘッドにこのような照明灯を取り付けることによって、これに照明機能を付与できる。
または照明灯の点灯によって光による演出効果即ち意匠効果を発揮させることができる。
【０００９】
しかしながら従来提案されている照明機能付きの吐水ヘッドの場合、外部電源を電気配線を延ばして照明灯に接続し、電源供給してこれを点灯させるものであったり、或いは電池を水栓や吐水ヘッドに搭載して、これを電源として照明灯を点灯させるもので、何れも以下のような問題を有していた。
【００１０】
即ち前者の場合には、外部電源からの電源供給のための電気配線工事をしなければならず、施工に手間と時間がかかる問題があり、簡単には吐水ヘッドに照明機能を付与することのできないものであった。
また後者の場合には、電池を搭載する関係上必然的に吐水口周りが大型化してしまい、更にまた定期的に電池交換をしなければならず、ランニングコストが高くなるとともにメンテナンスにも手間がかかる問題があった。
【００１１】
そこで本出願人は水流により発電する発電機能と照明機能、或いは光による演出機能を備えた照明機能付吐水ヘッドを提案している（下記特許文献１）。
図１１はその一例を示している。
【００１２】
同図において２０８は吐水ヘッドで、下部２１０が透光性の部材にて構成されている。
この下部２１０の下面には下向きのストレート吐水口２１２及びシャワー吐水口２１４が形成されている。
【００１３】
吐水ヘッド２０８の内部には、更に透光性の環状部材２１６が配設されている。
そしてこの透光性の環状部材２１６の上側に複数のＬＥＤ２１８が配設されている。
ここで透光性の環状部材２１６及び下部２１０は、ＬＥＤ２１８からの光を下向きに透過させる光路を形成している。
【００１４】
２２０は水車で、軸２２２と軸２２２周りに回転する翼２２４とを有している。
この水車２２０にはマグネット２２６が固設されており、かかるマグネット２２６が水車２２０と一体回転するようになっている。
【００１５】
環状部材２１６には、給水路２２８からの水を水車２２０に向けて横向き即ち軸直角方向に供給するための横向きの流入路２３０が形成されており、更に水車ケースには流入路２３０からの水を水車ケース内且つ水車２２０の翼２２４に向けて横向きに当てるための横孔２３２が形成されている。
【００１６】
水車ケースにはまた、水車室内の水を水室２３４に向けて横向きに流出させるための横孔２３６が形成され、この横孔２３６から流出した水が水室２３４を通じてストレート吐水口２１２或いはシャワー吐水口２１４から下向きに流出する。
即ちこの例において、吐水ヘッド２０８の内部には横向きの給水路２２８からの水流を水車２２０に直角に当てた上で吐水口２１２，２１４から吐水させるための、直角に屈曲した水路が形成されている。
【００１７】
吐水ヘッド２０８の内部且つ上部には、即ち流入路２３０，横孔２３２，水室２３４等にて形成される水路よりも上側の位置には水密の空間２３８が形成されており、そこにステータコイル２４０，制御基板２４２及びＬＥＤ２１８が収容配置されている。
ここで制御基板２４２には、ステータコイル２４０から取り出された交流を直流に変換する整流回路その他の回路素子が搭載されている。
【００１８】
またＬＥＤ２１８は制御基板２４２により保持されており、これらＬＥＤ２１８が制御基板２４２を介してステータコイル２４０に接続されている。
ここでＬＥＤ２１８はステータコイル２４０の外周側の位置に配置されている。
【００１９】
しかしながらこの図１１に示すものにおいては、従来既存の水栓設備における吐水ヘッドをそのまま用いることのできないものであって、吐水ヘッドを専用のものとして構成しなければならず、従って従来既存の水栓設備にそのまま照明機能を付与するといったことができない問題がある。
【００２０】
またこの吐水ヘッド２０８にあっては、内部構造が複雑化し、また吐水ヘッド２０８自体が大型化せざるを得ない問題がある。
ここでは水車２２０を回転させるための横向きの流入路２３０を設けなければならないことから、更にはＬＥＤ２１８からの光を吐水ヘッド２０８の下面まで導いて下向きに放射させるための光路形成用として環状部材２１６が必要であり、更にはまた水路の上側にステータコイル２４０やＬＥＤ２１８更には制御基板２４２を収容するための水密の空間２３８を形成していることから、吐水ヘッド２０８全体が大型化してしまうのである。
水栓設備にあっては、以上の他に吐水温度その他を光にて表示する表示手段を吐水ヘッドに設けることも考えられるが、この場合においても上記と同様の問題を生ずる。
【００２１】
【特許文献１】特開２００２−２９４７７５号公報
【発明の開示】
【発明が解決しようとする課題】
【００２２】
本発明はこのような事情を背景とし、従来既存の水栓設備の吐水ヘッドをそのまま用いてそこに光による表示又は発光に基づく照明機能を付加することが可能であり、しかも外観もコンパクトであって見た目にもすっきりとした、吐水口に取り付けられて使用される吐水端部ユニットを提供することを目的としてなされたものである。
【課題を解決するための手段】
【００２３】
而して請求項１のものは、水栓における吐水ヘッドの吐水口に取り付けられる吐水端部ユニットであって、（イ）該吐水口からの水を内部に流入させる流入口を上端部に有し、下端部に該流入した水を流出させる流出口を有するハウジングと、（ロ）軸と該軸周りに回転する翼とを有し、該軸が該吐水口と同じ軸方向に配向する状態で該ハウジング内部に設けられ、該軸方向の流れで回転する軸流式の水車，該水車の外周部に固設されて該水車と一体回転するマグネット及び該マグネットの外周側に設けられたステータコイルとを有する発電機と、（ハ）該発電機による発電に基づいて光による表示又は発光を行う表示発光手段と、を有しており、且つ前記吐水口及び流入口から前記流出口に向かう水流を通過させる水路が、前記水車を軸方向に通過する状態に設けられているとともに、該水車の外周側において該水車を取り囲むようにドーナツ環状の環状室が水密に設けられていて、該環状室内に前記ステータコイルが該水車と同軸状に収容配置されていることを特徴とする。
【００２４】
請求項２のものは、請求項１において、前記表示発光手段が前記ステータコイルとともに前記環状室内に収容配置されていることを特徴とする。
【００２５】
請求項３のものは、請求項１，２の何れかにおいて、前記表示発光手段がＬＥＤであることを特徴とする。
【００２６】
請求項４のものは、請求項３において、前記ＬＥＤは前記環状室内で前記ステータコイルに対して軸方向に直線状に並ぶように該軸方向の異なった位置に且つ前記流出口側に配置されていることを特徴とする。
【００２７】
請求項５のものは、請求項３，４の何れかにおいて、前記ＬＥＤは前記ステータコイルに制御基板を介さないで直接接続されていることを特徴とする。
【００２８】
請求項６のものは、請求項１〜５の何れかにおいて、前記水車における翼の上流側の前記流入口の側に、前記吐水口からの水を該翼に向けた噴出流とするためのノズル部材が設けてあることを特徴とする。
【００２９】
請求項７のものは、請求項１〜６の何れかにおいて、前記ハウジングの少なくとも前記流出口周りの部分が透光性となしてあることを特徴とする。
【００３０】
請求項８のものは、請求項１〜７の何れかにおいて、前記吐水口に設けてあるねじとねじ結合して前記ハウジングを該吐水口に連結するための連結手段が備えてあることを特徴とする。
【００３１】
請求項９のものは、請求項８において、前記連結手段が前記ハウジングと別体をなしていることを特徴とする。
【発明の作用・効果】
【００３２】
以上のように本発明の吐水端部ユニットは、吐水ヘッドの吐水口に取り付けられて使用されるものであり、従って従来既存の水栓設備における吐水ヘッドをそのまま用いて、そこに発電機能と光による表示発光機能とを付加することができる。
【００３３】
また本発明の吐水端部ユニットは、水車として軸流式の水車が用いられているとともに、水車を軸方向に通過する状態で吐水口から流出口に到る水路が形成されており、水車がその水路を通過する軸方向の水流によって回転動作させられる。
即ち図１１に示すものと異なって水車を回転させるための横向きの流入路といったものを必要とせず、また水路は吐水口から流出口に到るまで軸方向に直線状となすことが可能であって、図１１に示すように水路を複雑に曲がりくねった形状とする必要も無い。
【００３４】
加えて水車の外周側にはドーナツ環状をなす水密室としての環状室が形成されていて、そこにステータコイルを収容するようになしてあるため、吐水端部ユニット自体を従来の吐水口キャップと同等程度ないしこれより僅かに大きい程度のコンパクトな形で構成することが可能となる。
【００３５】
本発明においては、表示発光手段をステータコイルとともに上記環状室に収容配置しておくことができる（請求項２）。
またこの表示発光手段はＬＥＤとなしておくことができる（請求項３）。
【００３６】
請求項４は、上記ＬＥＤを環状室内において上記ステータコイルに対し軸方向に直線状に並ぶように、その軸方向の異なった位置に且つ上記流出口側に配置したもので、このようになすことにより、ＬＥＤをステータコイルに対し径方向の異なった位置に配置した場合に比べて吐水端部ユニットを径方向にコンパクト化することができる。
【００３７】
またこの請求項４では、ＬＥＤをステータコイルに対し流出口に近い位置に配置していることから、図１１に示す光路形成部材としての環状部材２１６のようなものも不要となし得、これに基づいて吐水端部ユニットにおける軸方向の寸法も小型化することが可能となる。
即ちＬＥＤを流出口の直近位置に配置することが可能となって、ＬＥＤからの光を効率的に外部に放射することが可能となる。
【００３８】
次に請求項５は、ＬＥＤをステータコイルに対し制御基板を介さないで直接接続するようになしたものである。
この請求項５では、制御基板を用いないことからその制御基板配設のためのスペースを削減でき、これにより吐水端部ユニットを更にコンパクト化することができ、また必要な部品点数を少なくすることができる。
【００３９】
次に請求項６は、水車における翼の上流側において吐水口からの水を翼に向けた噴出流とするためのノズル部材を設けたもので、このようなノズル部材を設けておくことで、水車と同じ軸方向の水流の勢いを水車回転のための力として有効に利用することができる。
【００４０】
次に請求項７は、ハウジングの少なくとも流出口周りの部分を透光性となしたもので、このようになしておくことにより表示発光手段からの光をその流出口周りの透光性の部分を通じて外部に放射することができる。
【００４１】
請求項８は、吐水口に設けてあるねじに対し、ねじ結合でハウジングを吐水口に連結する連結手段を吐水端部ユニットに備えたもので、この請求項８によれば、その連結手段によって既存の水栓設備における吐水口に対し簡単に吐水端部ユニットを取り付けることができる。
【００４２】
この場合においてその連結手段は、ハウジングに一体に形成しておくこともできるが、これをハウジングとは別体に構成しておくことができる（請求項９）。
【発明を実施するための最良の形態】
【００４３】
次に本発明の実施形態を図面に基づいて以下に詳しく説明する。
図１において、１０は壁Ｗに設置された水栓設備で、１２は水栓本体、１４は操作部である。
この実施形態において、水栓設備１０はシングルレバー式のものであって、操作部１４はレバー操作部とされており、この操作部１４を左右回転操作することによって吐水の温度調節が行われ、また操作部１４を上下回動操作することによって吐水量が調節されるようになっている。
【００４４】
水栓本体１２からは吐水管１６が前方に延び出しており、その先端部の吐水ヘッド１８に、本実施形態の吐水端部ユニット２０が取り付けられている。
図３に吐水端部ユニット２０の構成が具体的に示してある。
図３において、２２は吐水ヘッド１８の下面に下向きに形成された吐水口で吐水ヘッド１８から下向きに突出しており、図５にも示しているようにその突出した部分の外周面に雄ねじが形成されている。
【００４５】
２６は吐水端部ユニット２０におけるハウジングで、ここでは第１部材２８と第２部材３０と第３部材３２とに分割されており、それらが互いに組み付けられることによってハウジング２６が構成されている。
ここで第２部材３０と第３部材３２とは何れも透光性の樹脂にて構成されている。
【００４６】
ハウジング２６には、その上端部に吐水口２２からの水を内部に流入させる流入口３４が形成されており、また下端部には内部に流入した水を外部に流出させる流出口が形成されている。
この例において、流出口は多数の小孔３６からなるシャワー孔３８とされている。
【００４７】
ハウジング２６の内部には水車室４０が形成されていて、そこに軸流式の水車４２が回転可能に収容されている。
水車４２は、軸４４と軸４４の周りに回転する複数の翼（羽根）４６とを有している。
翼４６の図中上側、即ちその上流側である流入口３４の側には吐水口２２からの水を翼４６に向けての噴出流となすノズル部材４８が固定状態に設けられている。
【００４８】
このノズル部材４８の中心部には支持部５０が設けられていて、その支持部５０により水車４２における軸４４の上端部が支持されている。
一方水車４２の図中下側には支持プレート５２が設けられており、その支持プレート５２の中心部の支持部５４により軸４４の下端部が支持されている。
ここで支持プレート５２には、水流を通過させる開口５６が周方向に沿って複数設けられている。これら開口５６は軸４４周りに円弧状をなす形状とされている。
【００４９】
水車４２はまた円筒部５８を有しており、その円筒部５８の外周面にリング状をなすマグネット６０が円筒部５８と一体回転する状態、即ち水車４２と一体回転する状態に固設されている。
この円筒部５８の内側には、吐水口２２及び流入口３４からシャワー孔３８に向かう水流を通過させる水路６２が形成されている。
ここで水路６２は、マグネット６０の内側においてかかるマグネット６０及び水車４２を吐水口２２と同じ軸方向に貫通する形態で形成されている。
【００５０】
尚、ノズル部材４８の上側にはドーナツ環状をなすメッシュ６３が配置されている。
上記ノズル部材４８は、図６に示しているように円形のプレート状をなしており、外周面においてハウジング２６の上端部内周面に嵌合固定されている。
【００５１】
このノズル部材４８にはまた、外周部に沿って複数個のノズル孔６４が設けられている。
これらノズル孔６４は斜孔とされており（図６（Ｂ）参照）、流入口３４からの水をそれらノズル孔６４によって軸周りの噴出流となしてこれを水車４２における翼４６に当て、水車４２を効率高く回転させるようになっている。
尚、水車４２は軸４４が固定状態にあって、その軸４４の周りを翼４６がこれに固設されたマグネット６０とともに回転運動する。
【００５２】
上記ハウジング２６は、図３に示しているようにその上端部がねじリング（連結手段）６６によって吐水口２２に連結されている。
このねじリング６６は上端部に内向きのフランジ部６８を有していて、そのフランジ部６８の内周面に雌ねじが形成されている。また下端部の内周面にも雌ねじが形成されている。
そしてこの下端部の雌ねじにおいて、ハウジング２６具体的には第１部材２８の上端部外周面の雄ねじが螺合し、またフランジ部６８の内周面の雌ねじにおいて、ねじリング６６が吐水口２２の外周面の雄ねじに螺合即ちねじ結合されている。
【００５３】
尚ハウジング２６と吐水口２２との間はシール材７０によって水密にシールされている。
【００５４】
ハウジング２６における第１部材２８には、図４，図５に示しているように外筒７２の内側に内筒７４が形成されており、それらが上壁部７５にて互いに連結されている。
一方第３部材３２においても外筒７６の内側に内筒７８が設けられていて、それらが下壁部８０にて互いに連結されている。
【００５５】
而して第１部材２８における内筒７４の下端部には内周面に雌ねじが、また第３部材３２における内筒７８には外周面に雄ねじがそれぞれ形成され、そしてそれら雌ねじと雄ねじとが互いにねじ結合されて第１部材２８と第３部材３２とが一体化されている。
【００５６】
この第３部材３２にはまた、外筒７６の外周面に雄ねじが形成されており、この雄ねじが第２部材３０の内周面に形成された雌ねじにねじ結合され、以って第３部材３２と第２部材３０とがねじ結合により一体化されている。
即ちそれらのねじ結合により第１部材２８と第２部材３０及び第３部材３２が一体化されている。
【００５７】
図３に示すように上記第１部材２８と第３部材３２とは、第１部材２８における外筒７２，内筒７４及び上壁部７５と、第３部材３２における外筒７６，内筒７８と下壁部８０とで囲まれたドーナツ環状且つ水密の環状室８２を水車４２及びマグネット６０の外周側に且つこれを取り囲む形態で形成しており、そしてその環状室８２内部にステータ８４と複数のＬＥＤ、ここではＬＥＤ-１とＬＥＤ-２の２つのＬＥＤが収容配置されている。
【００５８】
尚第１部材２８と第３部材３２との間は、外周側のシール材８６と内周側のシール材８８とによって水密にシールされており、これらシール材８６，８８によって環状室８２全体が水密室とされている。
【００５９】
ステータ８４は、ヨーク９０と、ボビン９２と、ボビン９２の外周面に巻き付けられたステータコイル９４とを有している。
ここでヨーク９０は、図７に示しているように上部９０-１と下部９０-２とが別体とされていて、それらが上下に組み合わされている。
【００６０】
本実施形態において、ＬＥＤ-１，ＬＥＤ-２は図３，図８に示しているようにそれぞれステータコイル９４に対して軸方向に直線状に並ぶようにして環状室８２内部に配置されている。
またここでは各ＬＥＤ-１，ＬＥＤ-２のそれぞれは制御基板を介さないでステータコイル９４に直接接続されている。
【００６１】
尚この例においてＬＥＤ-１，ＬＥＤ-２はそれぞれ図９に示しているように水車４２，マグネット６０，ステータコイル９４を含むステータ８４等からなる発電機９６に対し互いに並列接続されている。
但しＬＥＤ-１とＬＥＤ-２とはそれぞれその接続の向きが逆方向とされている。
その結果として、ここでは発電機９６からの交流出力に対しＬＥＤ-１の点灯時にはＬＥＤ-２が消灯状態となり、またＬＥＤ-２が点灯状態のときにはＬＥＤ-１は消灯状態となる。即ちそれらＬＥＤ-１とＬＥＤ-２が交互に点灯する。
【００６２】
ここでは２個のＬＥＤを用いているが、場合によって４個或いは６個等の２個よりも多い偶数個でＬＥＤを設けておくことも可能である。
尚ＬＥＤ-１，ＬＥＤ-２は、それぞれステータコイル９４に対し流出口即ちシャワー孔３８に近い位置に配置されている。
【００６３】
本実施形態においては、水栓設備１０における操作部１４を上下に回動して開操作すると給水源からの水（湯或いは水と湯の混合水を含む）が吐水管１６を流通してその先端の吐水ヘッド１８の吐水口２２から、吐水端部ユニット２０のハウジング２６内部に流れ込む。具体的には流入口３４からハウジング２６内部に流れ込む。
【００６４】
その際、吐水口２２からの水はノズル部材４８によって各ノズル孔６４において噴出流となって水車４２の翼４６に当り、これを勢い良く回転させる。
そして翼４６を回転させた水はそのまま軸方向の水路６２を通過して、シャワー孔３８から下向きに勢い良くシャワー水として噴出される。
【００６５】
吐水端部ユニット２０における発電機９６は水車４２の回転に伴って発電を行い、そしてそこでの発電によってＬＥＤ-１，ＬＥＤ-２が点灯せしめられる。
そしてＬＥＤ-１，ＬＥＤ-２からの光は透光性の樹脂にて構成された第３部材３２，第２部材３０を透過して吐水端部ユニット２０の外部に放射される。
【００６６】
そしてこのＬＥＤ-１，ＬＥＤ-２による点灯に基づいて吐水端部ユニット２０周辺部分が明るく照明される（図２参照）。
或いはまたそのＬＥＤ-１，ＬＥＤ-２の点灯により、その光による演出効果によって吐水端部ユニット２０周りに良好な雰囲気がかもし出される。
【００６７】
以上のような本例の吐水端部ユニット２０によれば、従来既存の吐水口２２に簡単に発電機能と照明機能とを付加することができる。
【００６８】
また本例の吐水端部ユニット２０では、水車４２が軸方向の水路６２を通過する水流によって回転動作させられるため、従来のような横向きの流入路といったものを必要とせず、水路６２は吐水口２２から流出口に到るまで軸方向に直線状となすことができ、水路６２を複雑に曲がりくねった形状とする必要が無い。
【００６９】
更に水車４２の外周側にはドーナツ環状をなす水密室としての環状室８２が形成されていて、そこにステータコイル９４とＬＥＤ-１，ＬＥＤ-２とを収容するようになしてあるため、吐水端部ユニット２０自体を従来の吐水口キャップと同等程度ないしこれより僅かに大きい程度のコンパクトな形で構成することができる。
【００７０】
更に本例においては、上記ＬＥＤ-１，ＬＥＤ-２を環状室８２内においてステータコイル９４に対し軸方向に直線状に並ぶように配置してあるため、ＬＥＤ-１，ＬＥＤ-２をステータコイル９４に対し径方向の異なった位置に配置した場合に比べ、吐水端部ユニット２０を径方向にコンパクト化することができる。
【００７１】
またＬＥＤ-１，ＬＥＤ-２をステータコイル９４に対し流出口に近い位置に配置していることから光路形成部材を不要となし得、これに基づいて吐水端部ユニット２０における軸方向の寸法を小型化することができる。またＬＥＤ-１，ＬＥＤ-２を流出口の直近位置に配置しているため、ＬＥＤ-１，ＬＥＤ-２からの光を効率的に外部に放射することができる。
【００７２】
また本例では、ＬＥＤ-１，ＬＥＤ-２をステータコイル９４に対し制御基板を介さないで直接接続するようになしてあるので、制御基板配設のためのスペースを削減でき、これにより吐水端部ユニット２０を更にコンパクト化することができ、また必要な部品点数を少なくすることができる。
【００７３】
以上本発明の実施形態を詳述したがこれはあくまで一例示である。
例えば上記ＬＥＤに代えて液晶その他の表示発光手段を設けることも可能であるし、また吐水ヘッド１８の吐水口２２が雌ねじを有するものである場合、吐水端部ユニット２０におけるねじリング６６として、それとのねじ結合用の雄ねじを有するものを用いることで、支障無くそのような吐水口２２に対しても吐水端部ユニット２０をねじ結合して取り付けることができる。
更に上記例示した水栓設備はあくまで一例であって、他の様々な形態の水栓設備に対して本発明の適用が可能であるなど、本発明はその趣旨を逸脱しない範囲において種々変更を加えた形態で構成可能である。
【図面の簡単な説明】
【００７４】
【図１】本発明の一実施形態の吐水端部ユニットを水栓設備とともに示す図である。
【図２】図１の吐水端部ユニットを吐水ヘッドとともに拡大して示す外観図である。
【図３】同実施形態の吐水端部ユニットの内部構造を組付状態で示す図である。
【図４】同実施形態の吐水端部ユニットを各部材に分解して示す側面断面図である。
【図５】同実施形態の吐水端部ユニットを各部材に分解して示す斜視図である。
【図６】同実施形態の吐水端部ユニットにおけるノズル部材と周辺部を拡大して示す図である。
【図７】同実施形態の吐水端部ユニットにおけるステータを構成部材に分解して示す斜視図である。
【図８】図７におけるステータコイルとボビン，ＬＥＤを組付状態で示す図である。
【図９】同実施形態におけるＬＥＤと発電機との接続関係を示す図である。
【図１０】従来の水栓設備における吐水口と周辺部の構成を示す図である。
【図１１】従来公知の照明機能付の吐水ヘッドの例を示す図である。
【符号の説明】
【００７５】
１０  水栓設備
１８  吐水ヘッド
２０  吐水端部ユニット
２２  吐水口
２６  ハウジング
３４  流入口
３８  シャワー孔（流出口）
４２  水車
４４  軸
４６  翼
４８  ノズル部材
６０  マグネット
６２  水路
６６  ねじリング（連結手段）
８２  環状室
９４  ステータコイル
９６  発電機
【図１】
2005113437.tif 000003
【図２】
2005113437.tif 000004
【図３】
2005113437.tif 000005
【図４】
2005113437.tif 000006
【図５】
2005113437.tif 000007
【図６】
2005113437.tif 000008
【図７】
2005113437.tif 000009
【図８】
2005113437.tif 000010
【図９】
2005113437.tif 000011
【図１０】
2005113437.tif 000012
【図１１】
2005113437.tif 000013